【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
ユーザの利用したレシピについての第１の情報を取得する取得手段と、
前記ユーザへレシピの提案をするための提案リクエストを受け付ける受付手段と、
前記受付手段から前記提案リクエストを受け付けたことに応じて、レシピを提案するように制御する制御手段であって、
前記第１の情報と前記ユーザが前記提案されるレシピを使用する予定の日時とに基づくレシピを提案するように制御する制御手段とを有し、
前記ユーザが前記提案されるレシピを使用する予定の日時が第１の日時である場合と、第２の日時である場合とで異なるレシピが提案されることを特徴とするサーバ。
【請求項２】
前記制御手段は、前記ユーザが前記提案されるレシピを使用する予定の日時が平日である場合と、休日である場合とで異なるレシピを提案するように制御することを特徴とする請求項１に記載のサーバ。
【請求項３】
前記取得手段は、前記第１の情報より、前記ユーザが利用したレシピの難易度に関する情報を取得し、
前記制御手段は、前記レシピの難易度に応じて異なるレシピを提案するように制御することを特徴とする請求項１または２に記載のサーバ。
【請求項４】
前記制御手段は、前記ユーザの利用したレシピのうち、より出現頻度の高いレシピの難易度に基づき、レシピを提案するように制御することを特徴とする請求項３に記載のサーバ。
【請求項５】
前記第１の情報は、前記ユーザの利用したレシピを示す情報と、当該レシピを利用した日時とを含むことを特徴とする請求項１乃至４のいずれか１項に記載のサーバ。
【請求項６】
前記制御手段は、前記ユーザが提案されるレシピを使用する予定の日時が前記第１の日時である場合には、前記第１の日時の属する日時において前記ユーザの利用したレシピに基づきレシピを提案し、前記ユーザが提案されるレシピを使用する予定の日時が前記第２の日時である場合には、前記第２の日時の属する日時において前記ユーザの利用したレシピに基づきレシピを提案するように制御することを特徴とする請求項５に記載のサーバ。
【請求項７】
前記提案リクエストを前記ユーザが行う時に、前記ユーザはレシピのジャンルを指定可能であり、
前記制御手段は、前記第１の情報と前記ユーザが前記提案されるレシピを使用する予定の日時とに基づくレシピであって、前記ユーザに指定されたレシピのジャンルのレシピを提案するように制御することを特徴とする請求項１乃至６のいずれか１項に記載のサーバ。
【請求項８】
前記提案リクエストを前記ユーザが行う時に、前記ユーザは提案されるレシピを使用する予定の日時を指定可能であることを特徴とする請求項１乃至７のいずれか１項に記載のサーバ。
【請求項９】
前記第１の情報は、前記ユーザの利用したレシピを示す情報と、当該レシピにおける実際の調理時間を含んでいることを特徴とする請求項５に記載のサーバ。
【請求項１０】
前記制御手段は、前記ユーザの利用したレシピにおける実際の調理時間が、当該レシピを利用した他のユーザの調理時間の平均値よりも小さい場合と、大きい場合とでは、異なるレシピを提案するように制御することを特徴とする請求項９に記載のサーバ。
【請求項１１】
ユーザの利用したレシピについての第１の情報を取得する取得ステップと、
前記ユーザへレシピの提案をするための提案リクエストを受け付ける受付ステップと、
前記受付ステップにおいて前記提案リクエストを受け付けたことに応じて、レシピを提案するように制御する制御ステップであって、
前記第１の情報と前記ユーザが前記提案されるレシピを使用する予定の日時とに基づきレシピを提案するように制御する制御ステップとを有し、
前記ユーザが前記提案されるレシピを使用する予定の日時が第１の日時である場合と、第２の日時である場合とで異なるレシピが提案されることを特徴とするサーバの制御方法。
【手続補正２】
【補正対象書類名】明細書
【補正対象項目名】発明の名称
【補正方法】変更
【補正の内容】
【発明の名称】サーバ及びその制御方法
【手続補正３】
【補正対象書類名】明細書
【補正対象項目名】０００１
【補正方法】変更
【補正の内容】
【０００１】
本開示は、サーバ及びその制御方法に関する。
【手続補正４】
【補正対象書類名】明細書
【補正対象項目名】０００９
【補正方法】変更
【補正の内容】
【０００９】
また、そうしたレシピを用いた調理を志向するユーザにとって、調理が手間無く効率的に行われることを好む傾向にある。また一方で、プロの料理研究家等による種々のノウハウが詰まったレシピによる、高品質の料理の完成を期待する傾向も存在する。
ところが、上述のようなレシピの利用を踏まえた、ユーザにとって好適なレシピ提案を行う技術の提案はなされていない。
そこで本開示の目的は、ユーザにとって好適なレシピの提案を可能とする技術を提供することにある。
【手続補正５】
【補正対象書類名】明細書
【補正対象項目名】００１０
【補正方法】変更
【補正の内容】
【００１０】
上記目的を達成するために、本開示の一態様におけるサーバは、ユーザの利用したレシピについての第１の情報を取得する取得手段と、前記ユーザへレシピの提案をするための提案リクエストを受け付ける受付手段と、前記受付手段から前記提案リクエストを受け付けたことに応じて、レシピを提案するように制御する制御手段であって、前記第１の情報と前記ユーザが前記提案されるレシピを使用する予定の日時とに基づくレシピを提案するように制御する制御手段とを有し、前記ユーザが前記提案されるレシピを使用する予定の日時が第１の日時である場合と、第２の日時である場合とで異なるレシピが提案されることを特徴とする。
【手続補正６】
【補正対象書類名】明細書
【補正対象項目名】００１１
【補正方法】変更
【補正の内容】
【００１１】
また、本開示の一態様におけるサーバは、前記ユーザが前記提案されるレシピを使用する予定の日時が平日である場合と、休日である場合とで異なるレシピを提案するように制御してもよい。
【手続補正７】
【補正対象書類名】明細書
【補正対象項目名】００１２
【補正方法】変更
【補正の内容】
【００１２】
また、本開示の一態様におけるサーバは、前記第１の情報より、前記ユーザが利用したレシピの難易度に関する情報を取得し、前記レシピの難易度に応じて異なるレシピ群を提案するように制御してもよい。
【手続補正８】
【補正対象書類名】明細書
【補正対象項目名】００１３
【補正方法】変更
【補正の内容】
【００１３】
また、本開示の一態様におけるサーバは、前記ユーザの利用したレシピのうち、より出現頻度の高いレシピの難易度に基づき、レシピ群を提案してもよい。
【手続補正９】
【補正対象書類名】明細書
【補正対象項目名】００１４
【補正方法】変更
【補正の内容】
【００１４】
また、本開示の一態様におけるサーバは、第１の情報は、前記ユーザの利用したレシピを示す情報と、当該レシピを利用した日時とを含むことを特徴としてもよい。
【手続補正１０】
【補正対象書類名】明細書
【補正対象項目名】００１５
【補正方法】変更
【補正の内容】
【００１５】
また、本開示の一態様におけるサーバの制御方法では、ユーザの利用したレシピについての第１の情報を取得する取得ステップと、前記ユーザへレシピの提案をするための提案リクエストを受け付ける受付ステップと、前記受付ステップにおいて前記提案リクエストを受け付けたことに応じて、レシピを提案するように制御する制御ステップであって、前記第１の情報と前記ユーザが前記提案されるレシピを使用する予定の日時とに基づきレシピを提案するように制御する制御ステップとを有し、前記ユーザが前記提案されるレシピを使用する予定の日時が第１の日時である場合と、第２の日時である場合とで異なるレシピが提案されることを特徴としてもよい。
【手続補正１１】
【補正対象書類名】明細書
【補正対象項目名】００１６
【補正方法】変更
【補正の内容】
【００１６】
本開示によれば、ユーザにとって好適なレシピの提案が可能となる。